(57)【要約】      （修正有）【課題】制限手段を解除でき、工具箱の内部空間を予め調節でき、しかも工具の収納、取り出しを便利かつ柔軟に行える工具箱を提供する。【解決手段】本工具箱１００は、第１蓋体１０と、第２蓋体１１と、と収納室１２と、導きブロック１４と、連結部材４０とを備え、前記第１、第２蓋体は、開閉可能で、互いに対する対向辺の一側が枢接関係にあり、他側が係合構造であり、前記収納室は、少なくとも前記第１、第２蓋体のうちの一つの合併部材に陥入され、前記導きブロックは、前記収納室の互いに対面する両内壁１３からそれぞれ突出させて一列され、一列されるぞれぞれの導きブロックは間隔が所定距離を有し、前記連結部材は、前記導きブロックに合わせて前記収納室を仕切るとともに、規格工具を収納するための収容空間を有することを特徴とする。【選択図】図６
0003160568.tif 000002
【実用新案登録請求の範囲】
【請求項１】
第１蓋体と、第２蓋体と、と収納室と、導きブロックと、連結部材と、を備え、
前記第１、第２蓋体は、開閉可能で、互いに対する対向辺の一側が枢接関係にあり、他側が係合構造であり、
前記収納室は、少なくとも前記第１、第２蓋体のうちの一つの合併部材に陥入され、
前記導きブロックは、前記収納室の互いに対面する両内壁からそれぞれ突出させて一列され、一列されるぞれぞれの導きブロックは間隔が所定距離を有し、
前記連結部材は、前記導きブロックに合わせて前記収納室を仕切るとともに、規格工具を収納するための収容空間を有する、ことを特徴とする、工具箱。
【請求項２】
前記連結部材は、前記導きブロックの移動方向に沿ってかつ位置決める基座と、前記基座に接続されるとともに、引き上げが可能である工具座と、前記工具座を仕切るとともに工具を収納するための腔室に用いられる複数のリブ板と、を含むことを特徴とする、請求項１に記載の工具箱。
【請求項３】
前記連結部材の前記基座は、一つの座底部と、前記座底部に互いに対辺して直立される側壁と、一つの挿入ピンとを含み、
前記側壁は、前記導きブロックの上方に跨る維持部と、前記維持部の下方へ突出しかつ前記両導きブロック間を通過するとともに前記基座の移動に従って前記導きブロックの下方へ移動する係止ブロックと、前記維持部に陥入されしかも隔離される前記導きブロックの間距離に合わせて前記基座に従って移動する挿入溝と、を含み、
前記挿入ピンは、前記挿入溝を通過しかつ前記両導きブロック間に挿設されて前記基座を位置決めさせることができる、ことを特徴とする、請求項２に記載の工具箱。
【請求項４】
前記基座の前記係止ブロックの外面には、記号を付け、しかも前記座底部には、他の取り付け部材を連結するための一つの結合孔を設置することを特徴とする、請求項３に記載の工具箱。
【請求項５】
前記連結部材は、前記基座の両側壁と前記維持部の空洞孔部を穿過するとともに、前記工具座の側面に対面して設置される一つの凹部と、前記工具座のそれぞれのリブ板に成形されるとともに工具の外面を押圧するガイド部と、前記リブ板により前記腔室の一端を仕切る密封端と、その他端に工具を収納させる開放端と、前記工具座の外部に設置されるとともに前記凹部と組み合わせる凸ポイントと、をさらに含むことを特徴とする、請求項３に記載の工具箱。
【請求項６】
前記連結部材は、前記両導きブロック間に挿入される仕切り板と、前記第１、第２蓋体に前記仕切り板を開閉可能に位置決める内蓋と、を含むことを特徴とする、請求項１に記載の工具箱。
【請求項７】
前記仕切り板は、互いに前記導きブロックを係止する一つの当接部と一つの凸條とを具備することを特徴とする、請求項６に記載の工具箱。
【請求項８】
前記内蓋は、前記第１、第２蓋体の他の収納室に埋め込まれる位置決めブロックを有する制限部と、前記制限部と連接される可撓部と、前記可動部と連接されるとともに前記蓋体を開閉可能に係合する活動部と、を含むことを特徴とする、請求項６に記載の工具箱。
【請求項９】
前記係合構造は、雄係止部材と、雌係止部材と、滑動部材と、を含み、
前記雄係止部材は、前記両蓋体に位置決められる縦方向部材と、前記縦方向部材の辺縁に成形される横方向部材と、前記横方向部材の辺縁から両側へ垂直に延伸される導引片と、前記導引片から一方の蓋体へ向けて形成される切り欠きと、を備え、
前記雌係止部材は、一方の蓋体に位置決められる縦方向部材と、前記縦方向部材の辺縁に形成されるとともに前記導引片の前記切り欠きの形状と一致させる合併部材と、前記合併部材の辺縁から前記切り欠きの方向に向けて延伸される係合片と、を備え、
前記滑動部材は、長さが前記導引片より小さく、前記導引片と前記係合片を滑動する溝部を具備することを含むことを特徴とする、請求項１に記載の工具箱。
【考案の詳細な説明】
【技術分野】
【０００１】
本考案は規格工具収容空間の技術領域に係り、特に工具箱に関する。
【背景技術】
【０００２】
作業場所には通常、ドライバー、ビット、レンチ、ソケットなどの工具を入れる工具箱が設置され、このような工具箱は、携帯でき、即時に取り出し可能で、使用に便利である。
【０００３】
工具箱は構造が相当あり、例えば、特許文献１に開示されている工具箱は、対向する対辺の一辺が枢設関係を有し、他辺が係合構造を有し、開き可能な二つの蓋を有する蓋体と、蓋体を合併する部位において成形される規定造型の凹溝と、該凹溝内にスパナ（又はレンチ）などの工具を収納し、回動可能に連接される座体と、を備える。該座体は横方向に切り開いたレールを具備し、このレールに若干の凸ブロックを嵌入し、この凸ブロックは套孔を有するビット又はソケットなどの工具に供し、これらの工具を凸ブロックの外部に直接取り付ける。
【０００４】
この従来の工具箱は、以下のような欠点がある。
＜イ＞スパナの造型を有する凹溝は、形状を符合するスパナのみを収納して位置決めることができるが、他の工具をこの凹溝内へ入れると、入らなかったり、移動し易くなったり、位置決めできなくなったりするという問題があった。
＜ロ＞凸ブロックと凹溝の壁面との距離が一定で固定されるため、該凸ブロックに套設されるビット又はソケットの長さを制限され、特性を柔軟に調整できない。簡単に言えば、座体を傾斜状態に回転するとき、長さがこの距離を超過するビット又はソケットが溝壁に阻止され、さらに蓋体は工具箱を閉じることができなくなる。
【０００５】
また、特許文献２に開示されている工具箱は、蓋を開閉することができる透明板と蓋体を具備し、両者の対向する対辺の一辺がヒンジ関係にあり、他辺が係合構造を有し、しかも蓋体の合併部位において規格造型の凹溝が成形される。ねじドライバーの以外、他の工具を凹溝中に収納することができない。凹溝間の距離が固定されていて調整できない。このため、さらに改良する必要がある。
【先行技術文献】
【特許文献】
【０００６】
【特許文献１】台湾実用新案登録公告第２６２７９６号
【特許文献２】台湾実用新案登録公告第３８３６５６号
【考案の概要】
【考案が解決しようとする課題】
【０００７】
そこで、本考案の主な目的は、上記問題を解決するものであり、制限手段を解除でき、工具箱の内部空間を予め調節でき、しかも工具の収納、取り出しを便利かつ柔軟に行える工具箱を提供することにある。
【課題を解決するための手段】
【０００８】
上記課題を解決するために、本考案の請求項１の工具箱は、第１蓋体と、第２蓋体と、と収納室と、導きブロックと、連結部材と、を備え、前記第１、第２蓋体は、開閉可能で、互いに対する対向辺の一側が枢接関係にあり、他側が係合構造であり、前記収納室は、少なくとも前記第１、第２蓋体のうちの一つの合併部材に陥入され、前記導きブロックは、前記収納室の互いに対面する両内壁からそれぞれ突出させて一列され、一列されるぞれぞれの導きブロックは間隔が所定距離を有し、前記連結部材は、前記導きブロックに合わせて前記収納室を仕切るとともに、規格工具を収納するための収容空間を有する、ことを特徴とする。
【０００９】
請求項２の工具箱は、請求項１において、前記連結部材は、前記導きブロックの移動方向に沿ってかつ位置決める基座と、前記基座に接続されるとともに、引き上げが可能である工具座と、前記工具座を仕切るとともに工具を収納するための腔室に用いられる複数のリブ板と、を含むことを特徴とする。
【００１０】
請求項３の工具箱は、請求項２において、前記連結部材の前記基座は、一つの座底部と、前記座底部に互いに対辺して直立される側壁と、一つの挿入ピンとを含み、前記側壁は、前記導きブロックの上方に跨る維持部と、前記維持部の下方へ突出しかつ前記両導きブロック間を通過するとともに前記基座の移動に従って前記導きブロックの下方へ移動する係止ブロックと、前記維持部に陥入されしかも隔離される前記導きブロックの間距離に合わせて前記基座に従って移動する挿入溝と、を含み、前記挿入ピンは、前記挿入溝を通過しかつ前記両導きブロック間に挿設されて前記基座を位置決めさせることができる、ことを特徴とする。
【００１１】
請求項４の工具箱は、請求項３において、前記基座の前記係止ブロックの外面には、記号を付け、しかも前記座底部には、他の取り付け部材を連結するための一つの結合孔を設置することを特徴とする。
【００１２】
請求項５の工具箱は、請求項３において、前記連結部材は、前記基座の両側壁と前記維持部の空洞孔部を穿過するとともに、前記工具座の側面に対面して設置される一つの凹部と、前記工具座のそれぞれのリブ板に成形されるとともに工具の外面を押圧するガイド部と、前記リブ板により前記腔室の一端を仕切る密封端と、その他端に工具を収納させる開放端と、前記工具座の外部に設置されるとともに前記凹部と組み合わせる凸ポイントと、をさらに含むことを特徴とする。
【００１３】
請求項６の工具箱は、請求項１において、前記連結部材は、前記両導きブロック間に挿入される仕切り板と、前記第１、第２蓋体に前記仕切り板を開閉可能に位置決める内蓋と、を含むことを特徴とする。
【００１４】
請求項７の工具箱は、請求項６において、前記仕切り板は、互いに前記導きブロックを係止する一つの当接部と一つの凸條とを具備することを特徴とする。
【００１５】
請求項８の工具箱は、請求項６において、前記内蓋は、前記第１、第２蓋体の他の収納室に埋め込まれる位置決めブロックを有する制限部と、前記制限部と連接される可撓部と、前記可動部と連接されるとともに前記蓋体を開閉可能に係合する活動部と、を含むことを特徴とする。
【００１６】
請求項９の工具箱は、請求項１において、前記係合構造は、雄係止部材と、雌係止部材と、滑動部材と、を含み、前記雄係止部材は、前記両蓋体に位置決められる縦方向部材と、前記縦方向部材の辺縁に成形される横方向部材と、前記横方向部材の辺縁から両側へ垂直に延伸される導引片と、前記導引片から一方の蓋体へ向けて形成される切り欠きと、を備え、前記雌係止部材は、一方の蓋体に位置決められる縦方向部材と、前記縦方向部材の辺縁に形成されるとともに前記導引片の前記切り欠きの形状と一致させる合併部材と、前記合併部材の辺縁から前記切り欠きの方向に向けて延伸される係合片と、を備え、前記滑動部材は、長さが前記導引片より小さく、前記導引片と前記係合片を滑動する溝部を具備することを含むことを特徴とする。
【考案の効果】
【００１７】
本考案の工具箱は、それぞれのレールに若干の導きブロックを直線方向に排列し、かつ導きブロック間を所定間隔で設置するとともに、連結部材を取り外し可能に取り付けることにより、ユーザーが必要に応じて導きブロックを適当に選択することができ、しかも連結部材を導きブロック間に限定させることができる。このため、工具箱を所定の収納空間に仕切ることができ、工具の長さ、数量に応じて、連結部材の配置を柔軟に調節することができ、収納空間の大きさを容易且つ簡単に変更することができる。したがって、制限手段を解除することができ、工具箱の内部空間を予め調節することができ、しかも工具の収納、取り出しを便利かつ柔軟に行うことができるという効果を奏する。
【図面の簡単な説明】
【００１８】
【図１】本考案の工具箱の閉合した状態の好適な実施例の斜視図である。
【図２】本考案の工具箱の好適な実施例の分解斜視図である。
【図３】本考案の工具箱の係合構造の使用状態の断面図である。
【図４】本考案の工具箱の滑動部材の使用状態の断面図である。
【図５】本考案の工具箱の連結部材の実施例１の具体的構造と、工具箱と対応関係の説明図である。
【図６】図５における連結部材が工具箱において滑動している状況の説明図である。
【図７】連結部材を取り外して基座と工具座になる状況の斜視図である。
【図８】基座、挿入ピン、及び導きブロックの局部連結関係の説明図である。
【図９】基座、工具座、及び軸部材の局部連結関係の説明図である。
【図１０】工具座の腔室が工具を収納している使用状態の説明図である。
【図１１】工具座が基座に寝かせていて工具を収納している使用状態の説明図である。
【図１２】図１１における工具座を引き上げている使用状態の説明図である。
【図１３】連結部材を取り外して他の取り付け部材を取り付ける使用状態の説明図である。
【図１４】本考案の工具箱の連結部材の実施例２であって、仕切り板と内蓋及び対応する工具箱との関連性の説明図である。
【図１５】仕切り板と導きブロックとの連結関係の説明図である。
【図１６】内蓋を閉じて工具箱の内部空間を封じた使用状態の説明図である。
【図１７】内蓋を開いて工具箱の内部空間を開放した使用状態の説明図である。
【考案を実施するための形態】
【００１９】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【実施例１】
【００２０】
本考案の工具箱１００は図１と図２に示すように、主に第１蓋体（１０）と、第２蓋体（１１）と、を含む。それぞれの蓋体１０、１１は一対の長辺、一対の短辺を有する長方形を呈する。ピンジで蓋体１０、１１の一側長辺を結合する。これにより、第１蓋体１０に対して第２蓋体１１を開閉することができる。両蓋体１０、１１の他側長辺には係合構造を設ける。そして、この係合構造は蓋体を開閉するスイッチとして働く。
【００２１】
両蓋体１０、１１は、合併部位において凹陥状を呈し、複数の内壁１３の仕切りによって、大きさが異なる多数個の収納室１２を形成する。前記内壁１３には、沢山の係合孔１６を穿孔する。しかも面積が最大である収納室１２の内壁１３には、若干の突出状の導きブロック１４を成形する。これらの導きブロック１４は、互いに所定の間距離１５で配置される。前記収納室１２の互いに対面する内壁１３には、２本のレールが直線方向に配列されるようになる。
【００２２】
図２乃至図４に示すように、係止構造は、雄係止部材２０、雌係止部材３０、及び滑動部材３１からなる。そのうち、成形技術により雄係止部材２０を製造する。雄係止部材２０は、連続する折り曲げ状の縦方向部材２１、横方向部材２２及び導引片２３を具備し、導引片２３と平行する縦方向部材２１は、第１蓋体１０の内壁１２の係合孔１６と係合する。しかも垂直方向に延伸される横方向部材２２の両側の導引片２３には、第２蓋体１１に向けて切り欠き２４が形成される。
【００２３】
同様に、成形技術により雌係止部材３０を形成する。雌係止部材３０は、連続する折り曲げ状の縦方向部材３２、合併部材３３及び係合片３４を具備し、係合３４と平行する縦方向部材３２は、第２蓋体１１の内壁１３の係合孔１６と係合する。合併部材３３は形状が導引片２３の切り欠き２４と一致させることにより、第２蓋体１１の回動に伴って横方向部材の近辺に並列され、係合片３４は切り欠き２４を補充するとともに、導引片２３に排列され、長さが導引片２３より小さい滑動部材に供し、溝部３５が導引片２３と係合片３４上に嵌設されることにより、滑動して開閉動作を行う。
【００２４】
上記工具箱１００には、一つの連結部材を取り付けて実施する。
【００２５】
図５と図６に示すように、工具箱１００の第１蓋体１０の最大の収納室１２内には、滑動可能な位置決めの連結部材４０を取り付ける。前記連結部材４０は、基座５０と、工具座６０とを含み、導きブロック１４に沿って第１蓋体１０の収納室１２内において自由に滑動することができ、さらに工具箱１００に位置決められる。なお、工具座６０は、ビット、ソケットなどの工具Ａを上、下の両列の腔室６１の一つに挿入させる。ユーザーが状況又は工具Ａの長さに応じて、連結部材４０の収納室１２の位置を自ら調節することができる。
【００２６】
図７には、連結部材６０の各パーツの詳細な構成を示す。図中の基座５０は、座底部５１と側壁５２とを含み、これによって、Ｕ字断面の収納空間を形成する。座底部５１は工具座の表面と対面し、六個の長楕円形の凹陥部５３を有し、さらに座底部５１の凹陥部５３において結合孔５４が穿孔される。側壁５２は、座底部５１の比較的短い一対の辺にそれぞれ直立される。それぞれの側壁５２は、互いに対面する部位において空洞孔又は凹状の凹部５９が形成される。しかも側壁５２の外部上方には比較的厚い維持部５５が形成される。維持部５５の下方には、二つの隔離された係止ブロック５６が突出される。係止ブロック５６は、側壁５２と維持部５５の挿入溝５７に陥入して通過する。その他、維持部５５は係止ブロック５６に対して最上面に三角形の記号４２が付けられる。さらに側壁５２内面には、空洞孔部５８が貫通して形成される。
【００２７】
次に、図５と図６の工具箱を参照されたい。最大の収納室１２の一側近傍の内壁１３の最上面には、多個の記号１７が付けられる。これらの記号１７は、両導きブロック１４の間距離１５に対応し、基座５０の外表面の記号４２と工具箱１００の記号１７とを合わせることにより、係止ブロック５６は間距離１５の上方に位置されることが表示され、随時に基座５０を引き下ろすことができる。
【００２８】
基座５０の滑動、位置決めの動作に関しては、図８に示すように、隔離された導きブロック１４の間距離１５が単独の係止ブロック５６の奥行きより大きく、かつ両係止ブロック５６の間隔距離が導きブロック１４の長さより大きい。故に両係止ブロック５６が基座５０の押圧によって導きブロック１４の間距離１５を通過し、維持部５５の底面に至り、導きブロック１４と接触するようになる。そ他、維持部５５と両係止ブロック５６との上、下の間隔距離が導きブロック１４の高さより大きく、これにより、維持部５５の挿入溝５７が間距離１５と位置合わせを一致させるまで、基座５０は導きブロック１４の引導方向に沿って滑動運動を行うことができる。即ち、不連続的な通路を形成して挿入ピン４１の挿入に供する。導きブロック１４が挿入ピン４１と当接することにより、位置決めと固定の効果を発揮する。この際に、導きブロック１４は丁度、係止ブロック５６の上方に位置され、係止ブロック５６は離脱防止の効果を具備する。全体連結構造を破壊する以外、基座を収納室から離すことは非常に困難である。簡単に言えば、挿入ピン４１の基座５０を引き離すと、導きブロック１４を滑動させることにより、ある選定の導きブロック１４までに滑動することができ、さらに挿入ピン４１を導きブロック１４の近傍の間距離中へ挿入し、位置決め作業を完成する。
【００２９】
図７、図９及び図１０を参照されたい。工具座６０は箱体に類似し、その外部に二つの凸ポイント６３が設けられるとともに、腔室６１の両壁面に軸孔がそれぞれ貫通して設けられる。工具座６０の腔室６１は、多数個のリブ板６４間に形成され、一端が密封端とし、他端が工具Ａを入れる開放端とされる。これらのリブ板６４の自由端には、尖端状を呈するガイド部６５が設置されている。この尖端状のガイド部６５は、工具Ａの六角段落を挟持する作用を有し、工具Ａが揺れや転がり等の外因による落下や離脱を防止することができる。
【００３０】
工具座６０を基座５０の両側壁５２間に入れると、軸部材７０が空洞孔部５８と軸孔６２を透過する。軸部材７０は、頭部７１と、軸本体７２と、係合部７３とを一体化して成形される。頭部７１の形状は、空洞孔部５８の形状と合致し、空洞孔部５８に埋め込んで孔壁と当接する。軸本体７２と係合部７３は、共に空洞孔部５８と軸孔６２を穿過する。係合部７２は分岐状を呈し、開き縮み可能であり、収縮して工具座６０の軸孔６２を通過することができ、開いて壁面に係止することにより、軸部材７０の離脱を回避することができる。
【００３１】
こうして、工具座６０は基座５０に連接されて一体に回動することができる。同時に、凸ポイント６３は工具座６０に従って回動し、さらに側壁５２の凹部５９中に係止し、図１１と図１２に示すように、両者の所定角度を維持するのに助けるようになる。
【００３２】
その他、本実施例の連結部材４０を取り外した後に、図１３に示すように、リベットＢを利用することにより、その他の連結部材を座底部５１の結合孔５４に通過し、基座５０を関連する取付け部材Ｃ上面に取り付ける。そして、携帯の利便性を増すことができる。
【実施例２】
【００３３】
連結部材４０の実施例２においては、図１４に示すように、仕切り板８０と内蓋９０は、連結部材４０を構成する。仕切り板８０は、長方形の板材であり、第２蓋体１１の二つの導きブロック１４の間距離中へ挿入される。さらに図１５を参照されたい。仕切り板８０の両短辺が導きブロック１４の突出した当接部８１と凸條８２と対面し、両者の間隔距離は、導きブロック１４の高さと等しく又はより大きくなっていて、互いに導きブロック１４と係止、これにより、仕切り板８０は両内壁１３間に位置決められ、さらに最大の収納室１２を両空間に仕切ることができる。
【００３４】
もう一度、図１４を参照されたい。内蓋９０は透明な材質で成形される制限部９１と、可撓部９２と、活動部９３と、から構成される。制限部９１の底面には、２個の位置決めブロック９４が突出され、これらの位置決めブロック９４と活動部９５の全てには、係合体９５が成形される。
【００３５】
図１６と図１７に示すように、位置決めブロック９４は第２蓋体１１に隣接して枢接される収納室１２内に塞入され、係合体９５は内壁１３の係合孔１６と係止される。これにより、制限部９１は比較的小さい収納室の上方を封じることができる。このとき、可撓部９２は折り曲げの基礎とされ、可撓部９３はその他の収納室１２を蓋し、且つ緊密に係止する。また、活動部９３を引き上げると、第２蓋体１１の多数辺の仕切り板８０により仕切られる収納空間を開放するようになる。
【００３６】
以上は本考案の好ましい実施の形態であって、本考案の実施の範囲を限定するものではない。よって、当業者のなしえる修正、もしくは変更であって、この考案の精神の下においてなされ、かつこの考案に対して均等の効果を有するものは、いずれもこの考案の登録請求の範囲に含まれるものとする。
【符号の説明】
【００３７】
１００      工具箱
１０        第１蓋体
１１        第２蓋体
１２        収納室
１３        内壁
１４        導きブロック
１５        間距離
１６        係合孔
１７        記号
２０        雄係止部材
２１        縦方向部材
２２        横方向部材
２３        導引片
２４        切り欠き
３０        雌係止部材
３１        活動部材
３２        縦方向部材
３３        合併部材
３４        係合片
３５        溝部
４０        連結部材
４１        挿入ピン
４２        記号
５０        基座
５１        座底部
５２        側壁
５３        凹陥部
５４        結合孔
５５        維持部
５６        係止ブロック
５７        挿入溝
５８        空洞孔部
５９        凹部
６０        工具座
６１        腔室
６２        軸孔
６３        凸ポイント
６４        リブ板
６５        ガイド部
７０        軸部材
７１        頭部
７２        軸本体
７３        係合部
８０        仕切り板
８１        当接部
８２        凸條
９０        内蓋
９１        制限部
９２        可撓部
９３        活動部
９４        位置決めブロック
９５        係合体
Ａ          工具
Ｂ          リベット
Ｃ          取り付け部材
【図１】
0003160568.tif 000003
【図２】
0003160568.tif 000004
【図３】
0003160568.tif 000005
【図４】
0003160568.tif 000006
【図５】
0003160568.tif 000007
【図６】
0003160568.tif 000008
【図７】
0003160568.tif 000009
【図８】
0003160568.tif 000010
【図９】
0003160568.tif 000011
【図１０】
0003160568.tif 000012
【図１１】
0003160568.tif 000013
【図１２】
0003160568.tif 000014
【図１３】
0003160568.tif 000015
【図１４】
0003160568.tif 000016
【図１５】
0003160568.tif 000017
【図１６】
0003160568.tif 000018
【図１７】
0003160568.tif 000019
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
第１蓋体と、第２蓋体と、と収納室と、導きブロックと、連結部材と、を備え、
前記第１、第２蓋体は、開閉可能で、互いに対する対向辺の一側が枢接関係にあり、他側が係合構造であり、
前記収納室は、少なくとも前記第１、第２蓋体のうちの一つの合併部材に陥入され、
前記導きブロックは、前記収納室の互いに対面する両内壁からそれぞれ突出させて一列にされ、一列にされるぞれぞれの導きブロックは間隔が所定距離を有し、
前記連結部材は、前記導きブロックに合わせて前記収納室を仕切るとともに、規格工具を収納するための収容空間を有する、ことを特徴とする、工具箱。
【請求項２】
前記連結部材は、前記導きブロックの移動方向に沿ってかつ位置決める基座と、前記基座に接続されるとともに、引き上げが可能である工具座と、前記工具座を仕切るとともに工具を収納するための腔室に用いられる複数のリブ板と、を含むことを特徴とする、請求項１に記載の工具箱。
【請求項３】
前記連結部材の前記基座は、一つの座底部と、前記座底部に互いに対辺して直立される側壁と、一つの挿入ピンとを含み、
前記側壁は、前記導きブロックの上方に跨る維持部と、前記維持部の下方へ突出しかつ前記両導きブロック間を通過するとともに前記基座の移動に従って前記導きブロックの下方へ移動する係止ブロックと、前記維持部に陥入されしかも隔離される前記導きブロックの間距離に合わせて前記基座に従って移動する挿入溝と、を含み、
前記挿入ピンは、前記挿入溝を通過しかつ前記両導きブロック間に挿設されて前記基座を位置決めさせることができる、ことを特徴とする、請求項２に記載の工具箱。
【請求項４】
前記基座の前記係止ブロックの外面には、記号を付け、しかも前記座底部には、他の取り付け部材を連結するための一つの結合孔を設置することを特徴とする、請求項３に記載の工具箱。
【請求項５】
前記連結部材は、前記基座の両側壁と前記維持部の空洞孔部を穿過するとともに、前記工具座の側面に対面して設置される一つの凹部と、前記工具座のそれぞれのリブ板に成形されるとともに工具の外面を押圧するガイド部と、前記リブ板により前記腔室の一端を仕切る密封端と、その他端に工具を収納させる開放端と、前記工具座の外部に設置されるとともに前記凹部と組み合わせる凸ポイントと、をさらに含むことを特徴とする、請求項３に記載の工具箱。
【請求項６】
前記連結部材は、前記両導きブロック間に挿入される仕切り板と、前記第１、第２蓋体に前記仕切り板を開閉可能に位置決める内蓋と、を含むことを特徴とする、請求項１に記載の工具箱。
【請求項７】
前記仕切り板は、互いに前記導きブロックを係止する一つの当接部と一つの凸條とを具備することを特徴とする、請求項６に記載の工具箱。
【請求項８】
前記内蓋は、前記第１、第２蓋体の他の収納室に埋め込まれる位置決めブロックを有する制限部と、前記制限部と連接される可撓部と、前記可撓部と連接されるとともに前記蓋体を開閉可能に係合する活動部と、を含むことを特徴とする、請求項６に記載の工具箱。
【請求項９】
前記係合構造は、雄係止部材と、雌係止部材と、滑動部材と、を含み、
前記雄係止部材は、前記両蓋体に位置決められる縦方向部材と、前記縦方向部材の辺縁に成形される横方向部材と、前記横方向部材の辺縁から両側へ垂直に延伸される導引片と、前記導引片から一方の蓋体へ向けて形成される切り欠きと、を備え、
前記雌係止部材は、一方の蓋体に位置決められる縦方向部材と、前記縦方向部材の辺縁に形成されるとともに前記導引片の前記切り欠きの形状と一致させる合併部材と、前記合併部材の辺縁から前記切り欠きの方向に向けて延伸される係合片と、を備え、
前記滑動部材は、長さが前記導引片より小さく、前記導引片と前記係合片を滑動する溝部を具備することを含むことを特徴とする、請求項１に記載の工具箱。
【手続補正２】
【補正対象書類名】明細書
【補正対象項目名】０００８
【補正方法】変更
【補正の内容】
【０００８】
上記課題を解決するために、本考案の請求項１の工具箱は、第１蓋体と、第２蓋体と、と収納室と、導きブロックと、連結部材と、を備え、前記第１、第２蓋体は、開閉可能で、互いに対する対向辺の一側が枢接関係にあり、他側が係合構造であり、前記収納室は、少なくとも前記第１、第２蓋体のうちの一つの合併部材に陥入され、前記導きブロックは、前記収納室の互いに対面する両内壁からそれぞれ突出させて一列にされ、一列にされるぞれぞれの導きブロックは間隔が所定距離を有し、前記連結部材は、前記導きブロックに合わせて前記収納室を仕切るとともに、規格工具を収納するための収容空間を有する、ことを特徴とする。
【手続補正３】
【補正対象書類名】明細書
【補正対象項目名】００１５
【補正方法】変更
【補正の内容】
【００１５】
請求項８の工具箱は、請求項６において、前記内蓋は、前記第１、第２蓋体の他の収納室に埋め込まれる位置決めブロックを有する制限部と、前記制限部と連接される可撓部と、前記可撓部と連接されるとともに前記蓋体を開閉可能に係合する活動部と、を含むことを特徴とする。